(57)【要約】【課題】少ない部品点数や組立工数で、サイズの異なる円筒形電池のいずれかを収納し、かつサイズの異なる円筒形電池の同時収納を防止することができる電子機器を提供すること。【解決手段】第１電池３０を第１収納領域５ｋに収納した場合、電池蓋４により第１電池３０が押さえられ、押さえ部４ｃａが第２収納領域５ｍに収められ、第２電池４０を第２収納領域５ｍに収納した場合、電池蓋４により第２電池４０が押さえられ、押さえ部４ｃａが第１収納領域５ｋに収められ、第３電池５０を第３収納領域５ｎに収納した場合、押さえ部４ｃａにより第３電池５０が押さえられる。【選択図】図５
2019050093.tif 000002
【特許請求の範囲】
【請求項１】
第１電池、第２電池、第３電池の３種類の円筒形電池を収納できる電池収納部と、前記第１電池、前記第２電池、前記第３電池を出し入れする開口部と、前記開口部を覆う電池蓋を備える電子機器であって、
前記電池収納部は、前記第１電池を保持する第１保持部と、前記第２電池または前記第３電池を保持する第２保持部を備え、前記第１保持部と前記第２保持部は上下に並んで配置されており、
前記電池蓋は、前記第３電池を押さえる押さえ部を備え、
前記第１電池を収納する第１収納領域は、前記第１保持部と前記電池蓋により形成されるものであり、前記第２電池を収納する第２収納領域は、前記第２保持部と前記電池蓋により形成されるものであり、前記第３電池を収納する第３収納領域は、前記第２保持部と前記押さえ部により形成されるものであり、
前記第１収納領域は、前記第２収納領域と前記第３収納領域の一部分に重なり合うように配置され、前記第３収納領域は、前記第２収納領域内に配置されており、
前記第１電池を前記第１収納領域に収納した場合、前記電池蓋により前記第１電池が押さえられ、前記押さえ部が前記第２収納領域に収められ、
前記第２電池を前記第２収納領域に収納した場合、前記電池蓋により前記第２電池が押さえられ、前記押さえ部が前記第１収納領域に収められ、
前記第３電池を前記第３収納領域に収納した場合、前記押さえ部により前記第３電池が押さえられることを特徴とする電子機器。
【発明の詳細な説明】
【技術分野】
【０００１】
本発明は、乾電池や充電池を電源とする電子機器の構造に関する。
【背景技術】
【０００２】
乾電池や充電池を電源とする電子機器では、円筒形状の乾電池あるいは充電池（以降、円筒形電池と記載する）を使用するものがある。円筒形電池には、単一形（日本工業規格（ＪＩＳ）では、Ｒ２０）、単二形（同、Ｒ１４）、単三形（同、Ｒ６）といった、異なる直径および長さを有するものが存在する。従って、電子機器の電池収納部がいずれか１種類の円筒形電池のみ収納できる構造である場合は、当該電池収納部に収納されている円筒形電池の容量がなくなり、同じサイズの円筒形電池がないときは電子機器が使用できなくなる。
【０００３】
このような電子機器のうち、特に家庭に設置されて市町村の防災無線を受信する防災無線受信機では、交換用の円筒形電池がなくて防災無線受信機で地震や大雨などの災害に関する緊急放送を受信できなくなることは大きな問題である。このような問題は、電子機器にサイズの異なる円筒形電池を使用できるようにした電池収納部を設けることで軽減できる。
【０００４】
上記のようなサイズの異なる円筒形電池を収納できる電子機器の電池収納部としては、例えば特許文献１に記載のものが提案されている。特許文献１に記載の電池収納部は、電子機器本体筐体の前面下方に配置され、この電池収納部を覆う電池蓋を有している。また、電池収納部に上下方向に回動自在に設けられた第１保持部材を有し、電池蓋に上下方向に回動自在に設けられた第２保持部材を有する。
【０００５】
電池収納部には、単一形電池を保持する第１保持部と単二形電池を保持する第２保持部が設けられている。また、電池蓋には、単一形電池を押さえる第１押さえ部と単二形電池を押さえる第２押さえ部が設けられている。第１保持部と第１押さえ部で単一形電池を収納する第１収納領域が形成される。また、第２保持部と第２押さえ部で単二形電池を収納する第２収納領域が形成される。さらには、第２収納領域に移動した第１保持部材と第２保持部材で単三形電池を収納する領域が形成される。
【０００６】
以上説明した電池収納部は、使用者が単三形電池を使用するときは、第１保持部材と第２保持部材で形成される領域に単三形電池を収納する。また、使用者が単一形電池あるいは単二形電池を使用するときは、第１保持部材と第２保持部材を上下いずれかの方向に回動させて、第１保持部と第１押さえ部で形成される第１収納領域に単一形電池を収納する、あるいは、第２保持部と第２押さえ部で形成される第２収納領域に単二形電池を収納する。
【０００７】
また、第１収納領域に単一形電池を収納した時、第２収納領域内に突出し、第２収納領域に単二形電池または単三形電池を収納した時、第１収納領域内に突出する同時収納防止部材により、サイズの異なる円筒形電池が同時に収納されることを防止する。
【先行技術文献】
【特許文献】
【０００８】
【特許文献１】特開２００６−１１４４６０号公報
【発明の概要】
【発明が解決しようとする課題】
【０００９】
しかしながら、特許文献１に記載の電子機器では、上述したようにサイズの異なる円筒形電池（単一形電池、単二形電池、単三形電池）のいずれかを収納し、かつサイズの異なる円筒形電池の同時収納を防止するために、第１保持部材と第２保持部材と同時収納防止部材の３点の可動部材を必要とするため、部品点数が多く組立工数もかかり、コストアップとなるという問題があった。
【００１０】
本発明は上記問題点に鑑み、少ない部品点数や組立工数で、サイズの異なる円筒形電池のいずれかを収納し、かつサイズの異なる円筒形電池の同時収納を防止することができる電子機器を提供することを目的とする。
【課題を解決するための手段】
【００１１】
上記課題を解決するために、本発明の電子機器は、第１電池、第２電池、第３電池の３種類の円筒形電池を収納できる電池収納部と、第１電池、第２電池、第３電池を出し入れする開口部と、開口部を覆う電池蓋を備える。電池収納部は、第１電池を保持する第１保持部と、第２電池または第３電池を保持する第２保持部を備え、第１保持部と第２保持部は上下に並んで配置されており、電池蓋は、第３電池を押さえる押さえ部を備える。第１電池を収納する第１収納領域は、第１保持部と電池蓋により形成されるものであり、第２電池を収納する第２収納領域は、第２保持部と電池蓋により形成されるものであり、第３電池を収納する第３収納領域は、第２保持部と押さえ部により形成されるものである。第１収納領域は、第２収納領域と第３収納領域の一部分に重なり合うように配置され、第３収納領域は、第２収納領域内に配置される。第１電池を第１収納領域に収納した場合、電池蓋により第１電池が押さえられ、押さえ部が第２収納領域に収められる。第２電池を第２収納領域に収納した場合、電池蓋により第２電池が押さえられ、押さえ部が第１収納領域に収められる。第３電池を第３収納領域に収納した場合、押さえ部により第３電池が押さえられることを特徴とする。
【発明の効果】
【００１２】
本発明の電子機器によれば、可動部材をなくすことができるため、部品点数や組立工数の削減によりコストダウンが図れる。
【図面の簡単な説明】
【００１３】
【図１】本発明の電子機器を示す外観斜視図である。
【図２】本発明の電子機器を示し、電池収納部に収納される各電池を含む要部分解斜視図である。
【図３】本発明の電池収納部を説明するための説明図であり、（Ａ）は電池蓋を取り外して前面ケースを前面側から見た状態を示す前面図、（Ｂ）は（Ａ）におけるＸ−Ｘ断面図である。
【図４】本発明の電池蓋を裏面から見た状態を示す説明図であり、（Ａ）は電池蓋を示す斜視図、（Ｂ）は（Ａ）に示す電池蓋を上下反転させた状態を示す斜視図である。
【図５】第１電池を電池収納部に収納する場合を説明する説明図であり、（Ａ）は電池蓋を開口部に取付ける様子を示す断面図、（Ｂ）は（Ａ）において電池蓋が開口部に取付けられ第１電池を収納した状態を示す断面図である。
【図６】第２電池を電池収納部に収納する場合を説明する説明図であり、（Ａ）は電池蓋を開口部に取付ける様子を示す断面図、（Ｂ）は（Ａ）において電池蓋が開口部に取付けられ第２電池を収納した状態を示す断面図である。
【図７】第３電池を電池収納部に収納する場合を説明する説明図であり、（Ａ）は電池蓋を開口部に取付ける様子を示す断面図、（Ｂ）は（Ａ）において電池蓋が開口部に取付けられ第３電池を収納した状態を示す断面図である。
【発明を実施するための形態】
【００１４】
＜電子機器の全体構成＞
以下、本発明の実施形態を添付図面に基づき詳細に説明する。図１乃至図７は、本実施形態における電子機器の構成を説明する図である。図１乃至図７に示すように、この電子機器１は、例えば、各家庭に設置されて市町村の防災無線を受信できるものであり、円筒形電池を駆動電源とする防災無線受信機である。なお、本発明は、以下の実施形態に限定されることはなく、本発明の主旨を逸脱しない範囲で種々変形することが可能である。
【００１５】
図１に示すように、本実施形態における電子機器１は、各々が合成樹脂材で形成される前面ケース２と背面ケース３が組み合わされてなる箱状の筐体を有している。なお、以降の説明において、必要に応じて前面ケース２側を電子機器１の前面側、背面ケース３側を電子機器１の背面側、前面ケース２を前面側から見た場合の右方向を電子機器１の右側、前面ケース２を前面側から見た場合の左方向を電子機器１の左側と称する。
【００１６】
図２および図３（Ａ）に示すように、前面ケース２の下部には、前面ケース２の前面を前方に開口し後述する電池収納部５に円筒形電池を出し入れするための開口部２ａが設けられている。また、前面ケース２の下部には、前面ケース２の前面に形成され、後述する電池蓋４が収まる前面凹部２ｂが設けられている。この前面凹部２ｂは開口部２ａに連続するように設けられている。さらに、前面ケース２の下部には、前面ケース２の左側面と右側面のそれぞれに形成され、後述する電池蓋４の側壁４ｇが収まる凹部２ｃが設けられている。それぞれの凹部２ｃは前面凹部２ｂに連続するように設けられている。また、合成樹脂材で形成された開口部２ａを覆う電池蓋４が設けられている。
【００１７】
なお、筐体の前面ケース２や背面ケース３には、市町村の防災無線設備や他の電子機器から送信される各種信号を受信するための端子や、電子機器１の機能選択や各種設定を行うための操作部、選択された機能や現在の設定状況を表示する表示部等が設けられている。また、筐体の内部には、各種信号を受信する受信部や、操作部の操作に応じた処理を実行し表示部にその結果を表示させる制御部等が設けられている。これらの各構成は、本発明と直接関連がないため、図示と詳細な説明を省略する。
【００１８】
＜電池収納部＞
図２に示すように、電子機器１は、前面ケース２の開口部２ａより筐体内部には、電池収納部５が設けられている。図３（Ａ）と図３（Ｂ）に示すように、電池収納部５は、第１収納領域５ｋと、第２収納領域５ｍと、第３収納領域５ｎと、負極端子５ａと、正極端子５ｂを有する。本実施形態の電子機器１では、電池収納部５に図２に示す第１電池３０、第２電池４０、第３電池５０の３種類の円筒形電池のいずれかを２本直列に収納できる。なお、第１電池３０は単一形であり、第２電池４０は単二形であり、第３電池５０は単三形である。ここで、各々の円筒形電池のサイズ（長さおよび直径）については、第２電池４０と第３電池５０が同じ長さであり、第１電池３０は第２電池４０および第３電池５０より長い。また、第１電池３０の直径は第２電池４０より大きく、第２電池４０の直径は第３電池５０の直径より大きい。また、電子機器１は、開口部２ａが筐体の前面側に開口しているため、筐体を家屋の壁に取付けた場合でも、円筒形電池を筐体の前面側から出し入れすることができるようにしている。
【００１９】
なお、図２に示すように、第１電池３０の側面のうち、電池収納部５に当接する部分を第１電池収納部側当接面３０ａ、第１電池収納部側当接面３０ａの反対側の電池蓋４に当接する部分を第１電池蓋側当接面３０ｂと称する。第２電池４０の側面のうち、電池収納部５に当接する部分を第２電池収納部側当接面４０ａ、第２電池収納部側当接面４０ａの反対側の電池蓋４に当接する部分を第２電池蓋側当接面４０ｂと称する。第３電池５０の側面のうち、電池収納部５に当接する部分を第３電池収納部側当接面５０ａ、第３電池収納部側当接面５０ａの反対側の電池蓋４の押さえ部４ｃａに当接する部分を第３電池蓋側当接面５０ｂと称する。また、図２に示すように、負極端子５ａは、第１電池用負極端子５ａａと第２／第３電池用負極端子で構成され、正極端子５ｂは、第１電池用正極端子５ｂａと第２／第３電池用正極端子５ｂｂで構成されている。
【００２０】
＜第１収納領域＞
図２および図３（Ａ）に示すように、第１収納領域５ｋは、第１保持部５ｃと、上面５ｅと、第１左面５ｇと、第１右面５ｉで形成される。第１収納領域５ｋは、開口部２ａを前面側から見れば、第１保持部５ｃにより左右方向に延びる長方形状になっており、第１電池３０の外形に応じた形状となっている。
【００２１】
図２および図３（Ａ）に示すように、第１左面５ｇには、負極端子５ａの一方である第１電池用負極端子５ａａが設けられている。第１右面５ｉには、正極端子５ｂの一方である第１電池用正極端子５ｂａが設けられている。第１収納領域５ｋの左右方向の長さ、つまり、第１左面５ｇと第１右面５ｉの間隔は、第１電池用負極端子５ａａと第１電池用正極端子５ｂａの第１収納領域５ｋへの突出分を考慮し第１電池３０を２本直列に収納できる長さになっている。
【００２２】
＜第１保持部＞
図３（Ｂ）に示すように、第１保持部５ｃは、断面が円の３分の１の円弧形状を有し第１電池３０の形状に応じた曲面に形成されている。第１保持部５ｃの上端は上面５ｅの一端と連続する。上面５ｅは他端が開口部２ａまで延伸するように形成される。第１保持部５ｃの下端は第２保持部５ｄの上端と連続する。
【００２３】
＜第２収納領域＞
図２および図３（Ｂ）に示すように、第２収納領域５ｍは、第２保持部５ｄと、下面５ｆと、第２左面５ｈと、第２右面５ｊで形成される。図２および図３（Ａ）に示すように、第２収納領域５ｍは、第１収納領域５ｋの下方に配置され、開口部２ａを前面側から見れば、第２保持部５ｄにより左右方向に延びる長方形状となっており、第２電池４０の外形に応じた形状となっている。
【００２４】
図２および図３（Ａ）に示すように、第２左面５ｈには、負極端子５ａの他方である第２／第３電池用負極端子５ａｂが設けられている。第２右面５ｊには、正極端子５ｂの他方である第２／第３電池用正極端子５ｂｂが設けられている。第２収納領域５ｍの左右方向の長さ、つまり、第２左面５ｈと第２右面５ｊの間隔は、第２／第３電池用負極端子５ａｂと第２／第３電池用正極端子５ｂｂの第２収納領域５ｍへの突出分を考慮し第２電池４０または第３電池５０を２本直列に収納できる長さになっている。
【００２５】
なお、第２／第３電池用正極端子５ｂｂは、第２電池４０または第３電池５０のいずれの電池が収納された場合にも、その正極と接触する大きさを有している。また、第２／第３電池用負極端子５ａｂは第２電池４０または第３電池５０のいずれの電池が収納された場合にも、その負極と接触する位置に配置されている。
【００２６】
＜第２保持部＞
図３（Ｂ）に示すように、第２保持部５ｄは、断面が円の３分の１の円弧形状を有し第２電池４０の形状に応じた曲面に形成されている。第２保持部５ｄの下端は下面５ｆの一端と接続する。下面５ｆは他端が開口部２ａまで延伸するように形成される。
【００２７】
＜第３収納領域＞
図２および図３に示すように、第３収納領域５ｎは、第１保持部５ｃの下端と接続される第２保持部５ｄの上部５ｄａと、第２左面５ｈと、第２右面５ｊで形成される。図２および図３に示すように、第３収納領域５ｎは、開口部２ａを前面側から見れば、第２保持部５ｄの上部５ｄａにより左右方向に延びる長方形状となっており、第３電池５０の外形に応じた形状となっている。
【００２８】
＜第１収納領域、第２収納領域、第３収納領域の関係＞
図３（Ｂ）に示すように、第１収納領域５ｋは、第２収納領域５ｍと第３収納領域５ｎの一部分に重なり合うように配置されている。本実施例では、第１収納領域５ｋの下部が第２収納領域５ｍと第３収納領域５ｎの上部に重なり合っている。第３収納領域５ｎは、第２収納領域５ｍ内に配置されている。そして、第１収納領域５ｋの容積は、第２収納領域５ｍの容積より大きい。
【００２９】
＜電池蓋＞
図４に示すように、電池蓋４は、断面形状が前面ケース２の前面側にある開口部２ａを覆い、前面ケース２の前面にある前面凹部２ｂに収まるとともに、前面ケース２の左側面と右側面にある凹部２ｃに収まるようにコ字形状に形成されている。電池蓋４の裏面にあたる内面４ａは、第１電池３０または第２電池４０を押さえる部分として作用し、電池蓋４の下方に上下方向に延びる４本の第１リブ４ｃが設けられている。４本の第１リブ４ｃは、内面４ａの中央に左側から右側に間隔を空けて並べて配置されている。４本の第１リブ４ｃの間には、左右方向に延びる３本の第２リブ４ｄが設けられている。３本の第２リブ４ｄは、第１リブ４ｃに連結されており、第１リブ４ｃを補強している。
【００３０】
４本の第１リブ４ｃは、それぞれに内面４ａから離れた先端に第３電池５０を押さえる押さえ部４ｃａを備えている。押さえ部４ｃａは、円の３分の１の円弧形状を有し第３電池５０の側面に応じた形状とされている。押さえ部４ｃａは、第２収納領域５ｍに押さえ部４ｃａが収まるように、電池蓋４を前面ケース２に取付けた時、第２収納領域５ｍ内の位置にあって第３収納領域５ｎに対応する位置とされている。
【００３１】
また、電池蓋４の内面４ａには、電池蓋４の上端の辺である、第３の辺４ｈ（一方の辺）から上方向に延びるように形成される３つの第１収納爪４ｅが設けられ、電池蓋４の下端の辺である、押さえ部４ｃａ側に位置する第４の辺４ｉ（他方の辺）から下方向に延びるように形成される３つの第２収納爪４ｆが設けられている。３つの第１収納爪４ｅは、電池蓋４の第３の辺４ｈの左側から右側に間隔を空けて並べて配置され、３つの第２収納爪４ｆは、電池蓋４の第４の辺４ｉの左側から右側に間隔を空けて並べて配置されている。
【００３２】
さらに、電池蓋４の内面４ａには、電池蓋４の左側面と右側面を形成するそれぞれの側壁４ｇの先端から延びる取付爪４ｇａが設けられている。この取付爪４ｇａは、それぞれの側壁４ｇの上下方向の中央に配置されている。
【００３３】
＜前面凹部＞
図３（Ａ）に示すように、前面凹部２ｂには、上端の辺である、第１保持部５ｃ側に位置する第１の辺２ｄ（一方の辺）に形成される３つの第１爪収納部２ｂａが設けられ、下端の辺である、第２保持部５ｄ側に位置する第２の辺２ｅ（他方の辺）に形成される３つの第２爪収納部２ｂｂが設けられている。３つの第１爪収納部２ｂａは、第１の辺２ｄの左側から右側に間隔を空けて並べて配置され、電池蓋４の第１収納爪４ｅまたは第２収納爪４ｆを収納可能に形成されている。３つの第２爪収納部２ｂｂは、第２の辺２ｅの左側から右側に間隔を空けて並べて配置され、電池蓋４の第１収納爪４ｅまたは第２収納爪４ｆを収納可能に形成されている。
【００３４】
また、図２および図３（Ａ）に示すように、凹部２ｃには、その背面側端２ｃｂに取付孔２ｃａが設けられている。この取付孔２ｃａは、背面側端２ｃｂの上下方向の中央に配置され、電池蓋４の取付爪４ｇａを取付け可能に形成されている。
【００３５】
＜第１電池の電池収納部への収納＞
次に、第１電池３０を電池収納部５に収納する場合について図５を用いて説明する。図５（Ａ）に示すように、第１電池３０を電池収納部５に収納する場合、まず、開口部２ａから２本の第１電池３０を直列になるように第１収納領域５ｋに挿入し、第１電池３０の第１電池収納部側当接面３０ａを第１保持部５ｃに当接させる。次に、電池蓋４の第１収納爪４ｅを前面凹部２ｂの第１爪収納部２ｂａに収納するとともに、電池蓋４の第２収納爪４ｆを前面凹部２ｂの第２爪収納部２ｂｂに収納する。そして、電池蓋４の取付爪４ｇａは、凹部２ｃの取付孔２ｃａに取付けられる。この結果、電池蓋４が前面ケース２に取付けられる。
【００３６】
図５（Ｂ）に示すように、電池蓋４は、前面ケース２に取付けられると、電池蓋４の内面４ａにより第１電池３０の第１電池蓋側当接面３０ｂが押さえられ、電池蓋４の第１リブ４ｃ（押さえ部４ｃａ）が第２収納領域５ｍに収められる。このように、第１電池３０を収納する第１収納領域５ｋは、電池収納部５の第１保持部５ｃと電池蓋４により形成されることになる。第１電池３０が第１収納領域５ｋに収納されると、直列に収納された第１電池３０のうちの左側の第１電池３０の負極が第１電池用負極端子５ａａと接触する。また、右側の第１電池３０の正極が第１電池用正極端子５ｂａと接触する。これにより、２本の第１電池３０から電子機器１に電力が供給される。
【００３７】
＜第２電池の電池収納部への収納＞
次に、第２電池４０を電池収納部５に収納する場合について図６を用いて説明する。図６（Ａ）に示すように、第２電池４０を電池収納部５に収納する場合、まず、開口部２ａから２本の第２電池４０を直列になるように第２収納領域５ｍに挿入し、第２電池４０の第２電池収納部側当接面４０ａを第２保持部５ｄに当接させる。次に、電池蓋４の第２収納爪４ｆを前面凹部２ｂの第１爪収納部２ｂａに収納するとともに、電池蓋４の第１収納爪４ｅを前面凹部２ｂの第２爪収納部２ｂｂに収納する。そして、電池蓋４の取付爪４ｇａは、凹部２ｃの取付孔２ｃａに取付けられる。この結果、電池蓋４が前面ケース２に取付けられる。
【００３８】
図６（Ｂ）に示すように、電池蓋４は、前面ケース２に取付けられると、電池蓋４の内面４ａにより第２電池４０の第２電池蓋側当接面４０ｂが押さえられ、電池蓋４の第１リブ４ｃ（押さえ部４ｃａ）が第１収納領域５ｋに収められる。このように、第２電池４０を収納する第２収納領域５ｍは、電池収納部５の第２保持部５ｄと電池蓋４により形成されることになる。第２電池４０が第２収納領域５ｍに収納されると、直列に収納された第２電池４０のうちの左側の第２電池４０の負極が第２／第３電池用負極端子５ａｂと接触する。また、右側の第２電池４０の正極が第２／第３電池用正極端子５ｂｂと接触する。これにより、２本の第２電池４０から電子機器１に電力が供給される。
【００３９】
＜第３電池の電池収納部への収納＞
次に、第３電池５０を電池収納部５に収納する場合について図７を用いて説明する。図７（Ａ）に示すように、第３電池５０を電池収納部５に収納する場合、まず、開口部２ａから２本の第３電池５０を直列になるように第３収納領域５ｎに挿入し、第３電池５０の第３電池収納部側当接面５０ａを第２保持部５ｄの上部５ｄａに当接させる。次に、電池蓋４の第１収納爪４ｅを前面凹部２ｂの第１爪収納部２ｂａに収納するとともに、電池蓋４の第２収納爪４ｆを前面凹部２ｂの第２爪収納部２ｂｂに収納する。そして、電池蓋４の取付爪４ｇａは、凹部２ｃの取付孔２ｃａに取付けられる。この結果、電池蓋４が前面ケース２に取付けられる。
【００４０】
図７（Ｂ）に示すように、電池蓋４は、前面ケース２に取付けられると、電池蓋４の押さえ部４ｃａにより第３電池５０の第３電池蓋側当接面５０ｂが押さえられ、電池蓋４の押さえ部４ｃａが第２収納領域５ｍに収められた状態になる。このように、第３電池５０を収納する第３収納領域５ｎは、電池収納部５の第２保持部５ｄの上部５ｄａと電池蓋４の押さえ部４ｃａにより形成されることになる。第３電池５０が第３収納領域５ｎに収納されると、直列に収納された第３電池５０のうちの左側の第３電池５０の負極が第２／第３電池用負極端子５ａｂと接触する。また、右側の第３電池５０の正極が第２／第３電池用正極端子５ｂｂと接触する。これにより、２本の第３電池５０から電子機器１に電力が供給される。
【００４１】
＜電池蓋の開口部からの取外し＞
次に、前面ケース２に取付けられた電池蓋４を取り外す場合について説明する。図３（Ａ）、図４および図５に示すように、電池蓋４の左側面と右側面を形成するそれぞれの側壁４ｇの先端から延びる取付爪４ｇａが、凹部２ｃに設けられた取付孔２ｃａに取付けられた状態になっているため、まず、電池蓋４のそれぞれの側壁４ｇを両側から電池蓋４の中央方向に押さえ込み、取付孔２ｃａから取付爪４ｇａを離脱させるようにする。次に、第１電池３０または第３電池５０が収納されている場合、電池蓋４の第２収納爪４ｆを前面凹部２ｂの第２爪収納部２ｂｂから離脱させるとともに、電池蓋４の第１収納爪４ｅを前面凹部２ｂの第１爪収納部２ｂａから離脱させるようにする。また、第２電池４０が収納されている場合、電池蓋４の第１収納爪４ｅを前面凹部２ｂの第２爪収納部２ｂｂから離脱させるとともに、電池蓋４の第２収納爪４ｆを前面凹部２ｂの第１爪収納部２ｂａから離脱させるようにする。
【００４２】
なお、以上説明してきた本実施形態による電子機器１によれば、第１収納領域５ｋは電池収納部５の上側に、第２収納領域が電池収納部５の下側に形成されるように、電池収納部５の上側に第１保持部５ｃを設け、電池収納部５の下側に第２保持部５ｄを設けるようにしたが、本発明はこれに限らず、電池収納部５の下側に第１保持部５ｃを設け、電池収納部５の上側に第２保持部５ｄを設けるようにしてもよく、電池収納部５に第１保持部５ｃと第２保持部５ｄが上下に並んで配置されていればよい。また、以上説明してきた本実施形態による電子機器１によれば、電池蓋４を前面ケース２に取付けるために、電池蓋４に第１収納爪４ｅ、第２収納爪４ｆ、取付爪４ｇａを設けて、前面凹部２ｂに第１爪収納部２ｂａ、第２爪収納部２ｂｂを設けて、凹部２ｃに取付孔２ｃａを設けるようにしたが、本発明はこれに限らず、ネジ止めなどの取付手段で電池蓋４を前面ケース２に取付けるようにしてもよい。
【００４３】
＜本発明に関わる作用および効果＞
以上説明したように、本実施形態による電子機器１によれば、電池収納部５は、第１電池３０を保持する第１保持部５ｃと、第２電池４０または第３電池５０を保持する第２保持部５ｄを備え、第１保持部５ｃと第２保持部５ｄは上下に並んで配置されており、電池蓋４は、第３電池５０を押さえる押さえ部４ｃａを備える。そして、第１電池３０を収納する第１収納領域５ｋは、第１保持部５ｃと電池蓋４により形成されるものであり、第２電池４０を収納する第２収納領域５ｍは、第２保持部５ｄと電池蓋４により形成されるものであり、第３電池５０を収納する第３収納領域５ｎは、第２保持部５ｄと押さえ部４ｃａにより形成されるものである。
【００４４】
そして、第１収納領域５ｋは、第２収納領域５ｍと第３収納領域５ｎの一部分に重なり合うように配置され、第３収納領域５ｎは、第２収納領域５ｍ内に配置される。さらに、第１電池３０を第１収納領域５ｋに収納した場合、電池蓋４により第１電池３０が押さえられ、押さえ部４ｃａが第２収納領域５ｍに収められ、第２電池４０を第２収納領域５ｍに収納した場合、電池蓋４により第２電池４０が押さえられ、押さえ部４ｃａが第１収納領域５ｋに収められ、第３電池５０を第３収納領域５ｎに収納した場合、押さえ部４ｃａにより第３電池５０が押さえられることを特徴とする。
【００４５】
本発明の電子機器１においては、第１電池３０または第２電池４０のいずれか一方の電池をそれぞれの電池に対応する第１収納領域５ｋまたは第２収納領域５ｍに収納している場合は、電池蓋４の第１リブ４ｃに備えられた押さえ部４ｃａが他方の収納領域に収められるので、第１電池３０と第２電池４０を同時に収納することを防止できる。また、第３電池５０を第３収納領域５ｎに収納している場合は、電池蓋４の第１リブ４ｃに備えられた押さえ部４ｃａが第２収納領域５ｍ内に収められるので、第２電池４０と第３電池５０を同時に収納することを防止できる。また、第３電池を第３収納領域５ｎに収納している場合は、第１電池３０を収納する第１収納領域５ｋが第３収納領域５ｎの一部に重なり合うように配置されているため、第１電池３０と第３電池５０を同時に収納することを防止できる。
【００４６】
従って、従来技術においては、サイズの異なる３種類の円筒形電池のいずれかを収納し、かつ３種類の円筒形電池の同時収納を防止するために、電池蓋に設けられていた第１保持部材と、電池収納部に設けられていた第２保持部材と、第１電池を第１収納領域に収納した時に第２収納領域内に突出し、第２電池または第３電池を第２収納領域に収納した時に第１収納領域内に突出する同時収納防止部材といった３点の可動部材を設ける必要があったが、本発明の電子機器１においては、このような３点の可動部材をなくすことができる。この結果、本発明の電子機器１によれば、少ない部品点数や組立工数で、サイズの異なる円筒形電池のいずれかを収納し、かつサイズの異なる円筒形電池の同時収納を防止することができる。
【００４７】
また、本発明の電子機器１によれば、電池収納部５にある第２保持部５ｄと電池蓋４にある押さえ部４ｃａにより第３電池５０を押さえるようにしたので、第３電池５０を押さえるために、従来技術のような電池蓋に設けられていた第１保持部材と電池収納部に設けられていた第２保持部材といった可動部材をなくすことができる。これにより、使用者がサイズの異なる円筒形電池に入れ替える際の手間を少なくすることができる。また、可動部材をなくすことにより、部品点数や組立工数の削減によるコストダウンが図れる。
【符号の説明】
【００４８】
１  電子機器
２  前面ケース
２ａ  開口部
２ｂ  前面凹部
２ｂａ  第１爪収納部
２ｂｂ  第２爪収納部
２ｃ  凹部
２ｃａ  取付孔
２ｃｂ  背面側端
２ｄ  第１の辺
２ｅ  第２の辺
３  背面ケース
４  電池蓋
４ａ  内面
４ｃ  第１リブ
４ｃａ  押さえ部
４ｄ  第２リブ
４ｅ  第１収納爪
４ｆ  第２収納爪
４ｇ  側壁
４ｇａ  取付爪
４ｈ  第３の辺
４ｉ  第４の辺
５  電池収納部
５ａ  負極端子
５ａａ  第１電池用負極端子
５ａｂ  第２／第３電池用負極端子
５ｂ  正極端子
５ｂａ  第１電池用正極端子
５ｂｂ  第２／第３電池用正極端子
５ｃ  第１保持部
５ｄ  第２保持部
５ｄａ  第２保持部の上部
５ｅ  上面
５ｆ  下面
５ｇ  第１左面
５ｈ  第２左面
５ｉ  第１右面
５ｊ  第２右面
５ｋ  第１収納領域
５ｍ  第２収納領域
５ｎ  第３収納領域
３０  第１電池
３０ａ  第１電池収納部側当接面
３０ｂ  第１電池蓋側当接面
４０  第２電池
４０ａ  第２電池収納部側当接面
４０ｂ  第２電池蓋側当接面
５０  第３電池
５０ａ  第３電池収納部側当接面
５０ｂ  第３電池蓋側当接面
【図１】
2019050093.tif 000003
【図２】
2019050093.tif 000004
【図３】
2019050093.tif 000005
【図４】
2019050093.tif 000006
【図５】
2019050093.tif 000007
【図６】
2019050093.tif 000008
【図７】
2019050093.tif 000009